(57)【要約】  【課題】指輪やネックレス、イヤリング等の装身具に関し、装身具として人気の高いピンクゴールドを安価に、かつ赤味の強いピンク色から淡いピンク色まで好みの色を自由に実現でき、しかも材料加工が容易で、かつ表面が硬く傷がつき難い装身具を実現する。  【解決手段】指輪の円周方向の一部を構成するバネ収納円弧部の一端又は両端に拡縮円弧部を軸支してあり、前記のバネ収納円弧部のバネ支持部に支持された板バネ又はピアノ線の先端と前記バネ収納円弧部のバネ収納凹部の底面との間に、前記の拡縮円弧部の軸支部側から突出した舌片が挿入され、挟持されていることを特徴とする。前記のバネ収納円弧部と拡縮円弧部は、Ｋ１８金において、１〜５％のゲルマニウムを含有させることによって、ピンクゴールド色を実現する。【選択図】図２
0003133754.tif 000002
【実用新案登録請求の範囲】
【請求項１】
Ｋ１８金において、１〜５％のゲルマニウム（Ｇｅ）を含有させることによって、ピンクゴールド色を実現することを特徴とする装身具。
【請求項２】
前記の装身具がフリーサイズの指輪であることを特徴とする請求項１に記載の装身具。
【請求項３】
指輪の円周方向の一部を構成するバネ収納円弧部の一端又は両端に拡縮円弧部を軸支してあり、前記のバネ収納円弧部のバネ支持部に支持された板バネ又はピアノ線の先端と前記バネ収納円弧部のバネ収納凹部の底面との間に、前記の拡縮円弧部の軸支部側から突出した舌片が挿入され、挟持されていることを特徴とする請求項１または請求項２に記載の装身具。
【請求項４】
前記の板バネ又はピアノ線の中間部が、前記のバネ収納凹部のブリッジ部と凹部底面との間に挿入支持されていることを特徴とする請求項１、請求項２または請求項３に記載の装身具。
【請求項５】
前記の板バネ又はピアノ線の中間部が、前記のバネ収納凹部の中に接合又は加締め固定されていることを特徴とする請求項１、請求項２または請求項３に記載の装身具。
【請求項６】
前記のバネ収納円弧部の両端に支軸で連結された前記拡縮円弧部の先端同士が分離開閉可能に又は伸縮式に連結されていることを特徴とする請求項１から請求項５までのいずれかの項に記載の装身具。
【考案の詳細な説明】
【技術分野】
【０００１】
本考案は、指輪（リング）やネックレス、イヤリング等の装身具、特にピンクゴールド色の装身具に関する。アクセサリー業界に於いて、ピンクゴールド色の製品が若い人達を中心に、リングやネックレス、イヤリング等で流行になりつつある。一般的な製造方法としては、Ｋ１８（銀３：銅７）にＰｄ（パラジウム）を５％程含有させて、銅の赤味（赤金と言う）を押さえてピンク色を出している。又Ｒｕ（ルテニウム）を使う場合もある。しかしながら、ＰｄやＲu は材料コストが高く、また好みの色を出す事ができない。
【背景技術】
【０００２】
実用新案登録第３１１９８５２号において、メッキ無しのホワイトゴールド装身具として、熱処理性にもすぐれ、かつ貴金属の王であるＡｕとＡｇの両方を含み、Ｐｄを主成分とするホワイトゴールドを実現し、さらに熱処理性のよいホワイトゴールドと他のＫ18などと熱処理で一体化してホワイトゴールドの美しさを対比し強調できる、メッキ無しの装身具を提供する目的で、Ｐｄを主成分とし、ＡｕとＡｇの双方を添加してなるホワイトゴールドとＡｕを主材とするイエローゴールドを熱処理で一体化してなるメッキ層無しのホワイトゴールド装身具が提案されている。また、エンドレスに形成されたホワイトゴールドのリングとイエローゴールドのリングを熱処理で一体化してメッキ層無しのホワイトゴールド二色リングを実現している。
【特許文献１】実用新案登録第３１１９８５２号
【考案の開示】
【考案が解決しようとする課題】
【０００３】
しかしながら、特許文献１の考案では、熱処理性のよいホワイトゴールドと他のＫ18などと熱処理で一体化してホワイトゴールドの美しさを対比し強調できる装身具に関するものであって、単一材質の装身具には適用できない。特に、人気の高いピンクゴールド色の装身具を安価に実現することは不可能である。本考案の技術的課題は、このような問題に着目し、装身具として人気の高いピンクゴールド色を安価に、かつ赤味の強いピンク色から淡いピンク色まで好みの色を自由に実現でき、しかも材料加工が容易で、それでいて表面が硬く傷がつき難い装身具を実現することにある。したがって、フリーサイズの指輪やネックレスのように可動部を有し或いは擦る頻度の高い装身具に好適である。
【課題を解決するための手段】
【０００４】
本考案の技術的課題は次のような手段によって解決される。請求項１は、Ｋ１８金において、１〜５％のゲルマニウム（Ｇｅ）を含有させることによって、ピンクゴールド色を実現することを特徴とする装身具である。このように、Ｋ１８金において、１〜５％の安価なゲルマニウムを含有させることによって、従来の高価なパラジウムやルテニウムを使用しなくても、人気の高いピンクゴールド色を実現することができるので、ピンクゴールド色の装身具を安価に提供できる。しかも、ゲルマニウムは、パラジウムやルテニウムに比べて融点が極端に低いため、材料の加工が容易で、それでいて表面が硬いので傷つき難い装身具を実現できる。したがって、乱暴に扱っても品質低下を来す恐れがない。また、フリーサイズの指輪やネックレス、イヤリング等は、可動部や摺動部において磨耗したり擦り傷などが生じやすいが、表面硬度が高いため、可動部の多い装身具に適している。なお、ゲルマニウム含有量が１％以下だと赤みが強過ぎるピンクとなり、５％を越えると赤みが薄過ぎるピンクとなるので、好ましくない。
【０００５】
請求項２は、前記の装身具がフリーサイズの指輪であることを特徴とする請求項１に記載の装身具である。このように、前記の装身具がフリーサイズの指輪であるため、その可動部が互いに或いは他の部分と擦れ合っても、傷ついて品質低下を来す恐れがない。
【０００６】
請求項３は、指輪の円周方向の一部を構成するバネ収納円弧部の一端又は両端に拡縮円弧部を軸支してあり、前記のバネ収納円弧部のバネ支持部に支持された板バネ又はピアノ線の先端と前記バネ収納円弧部のバネ収納凹部の底面との間に、前記の拡縮円弧部の軸支部側から突出した舌片が挿入され、挟持されていることを特徴とする請求項１または請求項２に記載の装身具である。このように、指輪の円周方向の一部を構成するバネ収納円弧部の一端又は両端に拡縮円弧部を軸支することによってリング状を形成し、指輪を構成している。そして、前記のバネ収納円弧部のバネ支持部に支持された板バネやピアノ線の先端と前記バネ収納円弧部のバネ収納凹部の底面との間に、前記の拡縮円弧部の軸支部側から突出した舌片が挿入され、挟持されているため、拡縮円弧部は常に閉じる方向のバネ圧を舌片で受けている。したがって、指輪内径より大きな指を挿入すると、拡縮円弧部の舌片が板バネのバネ圧に抗して支軸を中心に回転し、拡縮円弧部の内径が拡大するので、フリーサイズ構造が実現される。
【０００７】
請求項４は、前記の板バネ又はピアノ線の中間部が、前記のバネ収納凹部のブリッジ部と凹部底面との間に挿入保持されていることを特徴とする請求項１、請求項２または請求項３に記載の装身具である。このように、前記の板バネ又はピアノ線の中間部が、前記のバネ収納凹部のブリッジ部と凹部底面との間に挿入保持されているため、板バネやピアノ線のバネ支持部への取付け支持が容易で、拡縮円弧部の舌片を板バネ又はピアノ線と凹部底面との間に挿入するだけで、離脱不能に組み立てることができる。
【０００８】
請求項５は、前記の板バネ又はピアノ線の中間部が、前記のバネ収納凹部の中に接合又は加締め固定されていることを特徴とする請求項１、請求項２または請求項３に記載の装身具である。このように、前記の板バネ又はピアノ線の中間部が、前記のバネ収納凹部の中に接合又は加締め固定されているため、ブリッジ部の存在しない凹溝構造だけでも、板バネ又はピアノ線を凹溝中に取付け固定でき、安価に実現できる。なお、板バネやピアノ線の上に押さえ片を重ねて、押さえ片をバネ収納凹部中に接合又は加締め固定してもよい。
【０００９】
請求項６は、前記のバネ収納円弧部の両端に支軸で連結された前記拡縮円弧部の先端同士が分離開閉可能に又は伸縮式に連結されていることを特徴とする請求項１から請求項５までのいずれかの項に記載の装身具である。このように、前記のバネ収納円弧部の両端に支軸で連結された前記拡縮円弧部の先端同士が分離開閉可能に又は伸縮式に連結されているため、一部が分離開閉する指輪又は伸縮式に連結された指輪が実現でき、フリーサイズ構造となる。
【考案の効果】
【００１０】
請求項１のように、Ｋ１８金において、１〜５％の安価なゲルマニウムを含有させることによって、従来の高価なパラジウムやルテニウムを使用しなくても、人気の高いピンクゴールド色を実現することができるので、ピンクゴールド色の装身具を安価に提供できる。しかも、ゲルマニウムは、パラジウムやルテニウムに比べて融点が極端に低いため、材料の加工が容易で、それでいて表面が硬いので、傷つき難い装身具を実現できる。したがって、乱暴に扱っても品質低下を来す恐れがない。また、フリーサイズの指輪やネックレス、イヤリング等は、可動部や摺動部において磨耗したり擦り傷などが生じやすいが、表面硬度が高いため、可動部の多い装身具に適している。
【００１１】
請求項２のように、前記の装身具がフリーサイズの指輪であるため、その可動部が互いに或いは他の部分と擦れ合っても、傷ついて品質低下を来す恐れがない。
【００１２】
請求項３のように、指輪の円周方向の一部を構成するバネ収納円弧部の一端又は両端に拡縮円弧部を軸支することによってリング状に形成し、指輪を構成している。そして、前記のバネ収納円弧部のバネ支持部に支持された板バネやピアノ線の先端と前記バネ収納円弧部のバネ収納凹部の底面との間に、前記の拡縮円弧部の軸支部側から突出した舌片が挿入され、挟持されているため、拡縮円弧部は常に閉じる方向のバネ圧を舌片で受けている。したがって、指輪内径より大きな指を挿入すると、拡縮円弧部の舌片が板バネのバネ圧に抗して、支軸を中心に回転し、拡縮円弧部の内径が拡大することになり、フリーサイズ構造の指輪が実現される。
【００１３】
請求項４のように、前記板バネ又はピアノ線の中間部が、前記の収納凹部のブリッジ部と凹部底面との間に挿入保持されているため、板バネやピアノ線のバネ支持部への取付け支持が容易で、拡縮円弧部の舌片を板バネ又はピアノ線と凹部底面との間に挿入するだけで、離脱不能に組み立てることができる。
【００１４】
請求項５のように、前記板バネ又はピアノ線の中間部が、前記のバネ収納凹部の中に接合又は加締め固定されているため、ブリッジ部の無い凹溝構造だけでも、板バネやピアノ線を凹溝中に取付け固定でき、安価に実現できる。
【００１５】
請求項６のように、前記のバネ収納円弧部の両端に支軸で連結された前記拡縮円弧部の先端同士が分離開閉可能に又は伸縮式に連結されているため、一部が分離開閉する指輪又は伸縮式に連結された指輪が実現でき、フリーサイズ構造となる。
【考案を実施するための最良の形態】
【００１６】
次に本考案による装身具が実際上どのように具体化されるか実施形態を説明する。図１は、本考案による装身具である指輪の全容を示す斜視図である。本考案の指輪は、バネ収納円弧部１と、その両端に支持された拡縮円弧部２、３とによって、リング状に形成されている。この拡縮円弧部２、３は、バネ収納円弧部１の両端に、支軸４、５によって、回動可能に軸支されている。両側の拡縮円弧部２、３の先端は、この図では段継ぎ状の開閉部６で開閉する。
【００１７】
図２は、図１の指輪の詳細を示す図で、（１）は平面図、（２）は（１）図のＡ−Ａ断面図、（３）は（２）図の矢印ａ１方向の底面図、（４）は（２）図のａ２−ａ２方向の断面図、（５）は（２）図の矢印ａ３方向の底面図である。図１や図２（１）からも明らかなように、バネ収納円弧部１の両端は、平面図で見ると、凹状に引っ込んでいて、軸支部１ａ、１ｂになっている。左右両側の拡縮円弧部２、３の軸支部２１、３１は、凸状に突出している。そして、バネ収納円弧部１の両端の凹状部中に左右の拡縮円弧部２、３の凸状部２１、３１が嵌入した（木造建築における目違い継ぎ）状態において、横から支軸４、５を挿入することによって、左右の拡縮円弧部２、３が支軸４、５を中心に回動する。
【００１８】
バネ収納円弧部１を（１）図のＡ−Ａ断面図で見ると、（２）図のように、凹溝ｇが円周方向の両端まで形成されていて、（３）図のように幅Ｗの凹溝ｇの中に、幅ｗの板バネＳが挿入されている。この凹溝ｇの中間位置にブリッジ部７を設けて、このブリッジ部７と凹部ｇ底面ｂとの間のトンネル状孔に板バネＳを挿通してある。一方、左右両側の拡縮円弧部２、３の凸状の軸支部２１、３１から舌片８、９が凹溝ｇ中に突出していて、凹溝底面ｂと板バネＳの両端との間にバネ圧で挟持された状態となっている。凹溝ｇ中に舌片８、９を挿入し、その上に板バネＳを重ねても、板バネＳが凹溝ｇからはみ出さないように、舌片８、９の厚さ寸法が設定されている。
【００１９】
帯板状の板バネＳは、平板状ないしわずかに円弧状に曲がった状態で凹溝ｇ中に挿入されているため、板バネＳの両端によって、舌片８、９は、凹溝ｇ底面ｂに押しつけられた状態となる。したがって常に、拡縮円弧部２、３の先端の開閉部６が閉じて、指輪内径が小さくなる方向に作用する。板バネＳの材質は特に限定しないが、バネ性に富んだ材質が適しており、素材の色がバネ収納円弧部１と異なる場合は、同じ色にメッキ処理してもよい。また、板バネＳに代えて、細いピアノ線を代用することも可能である。このとき、複数本平に並べて用いると、板バネＳと同様に安定性がよい。
【００２０】
図３（１）のように、図２のブリッジ部７と凹溝ｇの底部ｂとの間の水平方向の貫通孔に板バネＳを挿通してあるのに対し、図３（２）のように、凹溝ｇの中間位置のブリッジ部７が存在しない構成とし、板バネＳやピアノ線の中間位置を凹溝ｇ中に、半田やロウなどの接合材Ｂで半田付け又はロウ付けで接合することも可能である。接合構造にすると、ブリッジ部７の無い、単純な凹溝だけで足りるので、構成が簡素で製造も容易となり、安価に実現できる。凹溝ｇ中に板バネＳやピアノ線を挿入した状態で、凹溝ｇ開口部を加締めることによっても、板バネＳやピアノ線の中間位置を凹溝ｇ中に取付け固定できる。このとき、板バネＳやピアノ線の上に押さえ片を重ねて、押さえ片を凹溝中に接合又は加締め固定してもよい。なお、板バネＳやピアノ線をレーザ溶接で直接凹溝に固定することも可能である。
このようにして支持した板バネＳやピアノ線の片方の端部だけで、前記の舌片８又は９を弾圧して、片方の拡縮円弧部２又は３を開閉することも可能である。このとき、板バネＳやピアノ線の一端を凹溝ｇ中に固定し、他端で前記舌片８又は９を弾圧する構造でもよい。
【００２１】
開閉部６は、完全に開閉して、開放時にリング状が分離・中断する構成も可能であるが、図２のように、横向きのスリット１０、１１を有する連結具１２を拡縮円弧部２、３の先端の間に介在させ、拡縮円弧部２、３の先端に形成した凹部先端に渡した横向きピン１３、１４を前記スリット１０、１１中に挿入した構造が望ましい。その結果、横向きスリット１０、１１中で横向きピン１３、１４が指輪の円周方向にスライドできるので、リング状が閉じた状態でも、スライド伸縮して開閉部６を開閉できる。本考案のようなフリーサイズの指輪は、大中小というように、３種類程度のサイズを用意しておけば、７番から２３番まで、あらゆる指サイズに対応できる。
【００２２】
フリーサイズの指輪は、このように可動部が多いため、摺動したり擦ったりする頻度が高いので、バネ収納円弧部１や拡縮円弧部２、３の材料は、硬度の高い材質が適している。そのために本考案の指輪は、Ｋ１８金において、１〜５％のゲルマニウムを含有させてある。この材質によると、従来のようにパラジウムやルテニウムを含むＫ１８金よりも硬質で、擦り傷の発生も少ない。また、パラジウムやルテニウムよりも融点が極端に低いので、材料の加工も容易である。さらに、色調もピンクゴールド色となり、人気が高く、需要の高いピンクゴールドの装身具が可能となる。しかも、ゲルマニウムの含有量を１〜５％の範囲で変える事により、例えば１％と少なくすると、赤味の強いピンク色となり、５％と増やすと、淡いピンク色となる。したがって、ゲルマニウムの含有量によって、好みの色を出すこともできる。
【００２３】
Ｋ１８（銀３：銅７）、Ｋ１８（銀２：銅８）、Ｋ１８（銀１：銅９）は、現在使われている赤金の銀と銅の比率であるが、ゲルマニウム含有量１〜５％は、これらを含めて、指輪以外のあらゆる装身具にも適用できる。ゲルマニウムは血行促進作用がある事で知られているので、本考案のように、装身具としてゲルマニウムを含有させることで、身体に優しい商品となり、健康を促進する効果も期待できる。なお、ネックレスやイヤリング等の装身具も、摺動したり擦れ合ったりする頻度が高いので、本考案のように硬度の高い材質の適用が望まれる。以上のように、ゲルマニウムはパラジウムやルテニウムより安価であるが、平成１９年２月現在の相場だと、パラジウムが1500円／ｇ、ルテニウムが3300円／ｇと高価であるのに対し、ゲルマニウムは 300円／ｇ程度と格安であるから、装身具に加工した場合にも、極めて安価な製品となる。
【産業上の利用可能性】
【００２４】
以上のように、本考案によると、Ｋ１８金において、１〜５％のゲルマニウムを含有させることによって、ピンクゴールド色を実現できるため、装身具として人気の高いピンクゴールド色を安価に、かつ赤味の強いピンク色から淡いピンク色まで好みの色を自由に実現でき、しかも材料加工が容易で、かつ表面が硬く傷つき難い装身具を実現することができる。
【図面の簡単な説明】
【００２５】
【図１】本考案による装身具である指輪の全容を示す斜視図である。
【図２】図２は、図１の指輪の各部の詳細を示す図である。
【図３】板バネの支持部を示すＢ−Ｂ断面図で、（１）は挿通支持構造、（２）は接合固定構造である。
【符号の説明】
【００２６】
１  バネ収納円弧部
１ａ・１ｂ  軸支部
２・３  拡縮円弧部
２１、３１  軸支部
４・５  支軸
６  開閉部
７  ブリッジ部
Ｓ  板バネ
ｇ  凹溝
８・９  舌片
１２  連結具
Ｂ  接合材
【図１】
0003133754.tif 000003
【図２】
0003133754.tif 000004
【図３】
0003133754.tif 000005
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
指輪の円周方向の一部を構成するバネ収納円弧部の一端又は両端に拡縮円弧部を軸支してあり、前記のバネ収納円弧部のバネ支持部に支持された板バネ又はピアノ線の先端と前記バネ収納円弧部のバネ収納凹部の底面との間に、前記の拡縮円弧部の軸支部側から突出した舌片が挿入され、挟持されていることを特徴とする装身具。
【請求項２】
前記の板バネ又はピアノ線の中間部が、前記のバネ収納凹部のブリッジ部と凹部底面との間に挿入支持されていることを特徴とする請求項１に記載の装身具。
【請求項３】
前記の板バネ又はピアノ線の中間部が、前記のバネ収納凹部の中に接合又は加締め固定されていることを特徴とする請求項１または請求項２に記載の装身具。
【請求項４】
前記のバネ収納円弧部の両端に支軸で連結された前記拡縮円弧部の先端同士が分離開閉可能に又は伸縮式に連結されていることを特徴とする請求項１、請求項２または請求項３に記載の装身具。
【請求項５】
前記の指輪は、Ｋ１８金において、１〜５％のゲルマニウム（Ｇｅ）を含有させることによって、ピンクゴールド色をしていることを特徴とする請求項１から請求項４までのいずれかの項に記載の装身具。
【請求項６】
前記の指輪がフリーサイズであることを特徴とする請求項１から請求項５までのいずれかの項に記載の装身具。
【手続補正２】
【補正対象書類名】明細書
【補正対象項目名】全文
【補正方法】変更
【補正の内容】
【考案の詳細な説明】
【技術分野】
【０００１】
本考案は、指輪（リング）やネックレス、イヤリング等の装身具、特にピンクゴールド色の装身具に関する。アクセサリー業界に於いて、ピンクゴールド色の製品が若い人達を中心に、リングやネックレス、イヤリング等で流行になりつつある。一般的な製造方法としては、Ｋ１８（銀３：銅７）にＰｄ（パラジウム）を５％程含有させて、銅の赤味（赤金と言う）を押さえてピンク色を出している。又Ｒｕ（ルテニウム）を使う場合もある。しかしながら、ＰｄやＲu は材料コストが高く、また好みの色を出す事ができない。
【背景技術】
【０００２】
実用新案登録第３１１９８５２号において、メッキ無しのホワイトゴールド装身具として、熱処理性にもすぐれ、かつ貴金属の王であるＡｕとＡｇの両方を含み、Ｐｄを主成分とするホワイトゴールドを実現し、さらに熱処理性のよいホワイトゴールドと他のＫ18などと熱処理で一体化してホワイトゴールドの美しさを対比し強調できる、メッキ無しの装身具を提供する目的で、Ｐｄを主成分とし、ＡｕとＡｇの双方を添加してなるホワイトゴールドとＡｕを主材とするイエローゴールドを熱処理で一体化してなるメッキ層無しのホワイトゴールド装身具が提案されている。また、エンドレスに形成されたホワイトゴールドのリングとイエローゴールドのリングを熱処理で一体化してメッキ層無しのホワイトゴールド二色リングを実現している。
【特許文献１】実用新案登録第３１１９８５２号
【考案の開示】
【考案が解決しようとする課題】
【０００３】
しかしながら、特許文献１の考案では、熱処理性のよいホワイトゴールドと他のＫ18などと熱処理で一体化してホワイトゴールドの美しさを対比し強調できる装身具に関するものであって、単一材質の装身具には適用できない。特に、人気の高いピンクゴールド色の装身具を安価に実現することは不可能である。本考案の技術的課題は、このような問題に着目し、装身具として人気の高いピンクゴールド色を安価に、かつ赤味の強いピンク色から淡いピンク色まで好みの色を自由に実現でき、しかも材料加工が容易で、それでいて表面が硬く傷がつき難い装身具を実現することにある。したがって、フリーサイズの指輪やネックレスのように可動部を有し或いは擦る頻度の高い装身具に好適である。
【課題を解決するための手段】
【０００４】
本考案の技術的課題は次のような手段によって解決される。請求項１は、指輪の円周方向の一部を構成するバネ収納円弧部の一端又は両端に拡縮円弧部を軸支してあり、前記のバネ収納円弧部のバネ支持部に支持された板バネ又はピアノ線の先端と前記バネ収納円弧部のバネ収納凹部の底面との間に、前記の拡縮円弧部の軸支部側から突出した舌片が挿入され、挟持されていることを特徴とする装身具である。このように、指輪の円周方向の一部を構成するバネ収納円弧部の一端又は両端に拡縮円弧部を軸支することによってリング状を形成し、指輪を構成している。そして、前記のバネ収納円弧部のバネ支持部に支持された板バネやピアノ線の先端と前記バネ収納円弧部のバネ収納凹部の底面との間に、前記の拡縮円弧部の軸支部側から突出した舌片が挿入され、挟持されているため、拡縮円弧部は常に閉じる方向のバネ圧を舌片で受けている。したがって、指輪内径より大きな指を挿入すると、拡縮円弧部の舌片が板バネのバネ圧に抗して支軸を中心に回転し、拡縮円弧部の内径が拡大するので、フリーサイズ構造が実現される。
【０００５】
請求項２は、前記の板バネ又はピアノ線の中間部が、前記のバネ収納凹部のブリッジ部と凹部底面との間に挿入支持されていることを特徴とする請求項１に記載の装身具である。このように、前記の板バネ又はピアノ線の中間部が、前記のバネ収納凹部のブリッジ部と凹部底面との間に挿入支持されているため、板バネやピアノ線のバネ支持部への取付け支持が容易で、拡縮円弧部の舌片を板バネ又はピアノ線と凹部底面との間に挿入するだけで、離脱不能に組み立てることができる。
【０００６】
請求項３は、前記の板バネ又はピアノ線の中間部が、前記のバネ収納凹部の中に接合又は加締め固定されていることを特徴とする請求項１または請求項２に記載の装身具である。このように、前記の板バネ又はピアノ線の中間部が、前記のバネ収納凹部の中に接合又は加締め固定されているため、ブリッジ部の存在しない凹溝構造だけでも、板バネ又はピアノ線を凹溝中に取付け固定でき、安価に実現できる。なお、板バネやピアノ線の上に押さえ片を重ねて、押さえ片をバネ収納凹部中に接合又は加締め固定してもよい。
【０００７】
請求項４は、前記のバネ収納円弧部の両端に支軸で連結された前記拡縮円弧部の先端同士が分離開閉可能に又は伸縮式に連結されていることを特徴とする請求項１、請求項２または請求項３に記載の装身具である。このように、前記のバネ収納円弧部の両端に支軸で連結された前記拡縮円弧部の先端同士が分離開閉可能に又は伸縮式に連結されているため、一部が分離開閉する指輪又は伸縮式に連結された指輪が実現でき、フリーサイズ構造となる。
【０００８】
請求項５は、前記の指輪が、Ｋ１８金において、１〜５％のゲルマニウム（Ｇｅ）を含有させることによって、ピンクゴールド色をしていることを特徴とする請求項１から請求項４までのいずれかの項に記載の装身具である。このように、前記の指輪は、Ｋ１８金において、１〜５％の安価なゲルマニウムを含有させることによって、従来の高価なパラジウムやルテニウムを使用しなくても、人気の高いピンクゴールド色を実現することができるので、ピンクゴールド色の装身具を安価に提供できる。しかも、ゲルマニウムは、パラジウムやルテニウムに比べて融点が極端に低いため、材料の加工が容易で、それでいて表面が硬いので傷つき難い装身具を実現できる。したがって、乱暴に扱っても品質低下を来す恐れがない。また、フリーサイズの指輪やネックレス、イヤリング等は、可動部や摺動部において磨耗したり擦り傷などが生じやすいが、表面硬度が高いため、可動部の多い装身具に適している。なお、ゲルマニウム含有量が１％以下だと赤みが強過ぎるピンクとなり、５％を越えると赤みが薄過ぎるピンクとなるので、好ましくない。
【０００９】
請求項６は、前記の指輪がフリーサイズであることを特徴とする請求項１から請求項５までのいずれかの項に記載の装身具である。このように、前記の指輪がフリーサイズであるため、その可動部が互いに或いは他の部分と擦れ合っても、傷ついて品質低下を来す恐れがない。
【考案の効果】
【００１０】
請求項１のように、指輪の円周方向の一部を構成するバネ収納円弧部の一端又は両端に拡縮円弧部を軸支することによってリング状に形成し、指輪を構成している。そして、前記のバネ収納円弧部のバネ支持部に支持された板バネやピアノ線の先端と前記バネ収納円弧部のバネ収納凹部の底面との間に、前記の拡縮円弧部の軸支部側から突出した舌片が挿入され、挟持されているため、拡縮円弧部は常に閉じる方向のバネ圧を舌片で受けている。したがって、指輪内径より大きな指を挿入すると、拡縮円弧部の舌片が板バネのバネ圧に抗して、支軸を中心に回転し、拡縮円弧部の内径が拡大することになり、フリーサイズ構造の指輪が実現される。
【００１１】
請求項２のように、前記板バネ又はピアノ線の中間部が、前記の収納凹部のブリッジ部と凹部底面との間に挿入支持されているため、板バネやピアノ線のバネ支持部への取付け支持が容易で、拡縮円弧部の舌片を板バネ又はピアノ線と凹部底面との間に挿入するだけで、離脱不能に組み立てることができる。
【００１２】
請求項３のように、前記板バネ又はピアノ線の中間部が、前記のバネ収納凹部の中に接合又は加締め固定されているため、ブリッジ部の無い凹溝構造だけでも、板バネやピアノ線を凹溝中に取付け固定でき、安価に実現できる。
【００１３】
請求項４のように、前記のバネ収納円弧部の両端に支軸で連結された前記拡縮円弧部の先端同士が分離開閉可能に又は伸縮式に連結されているため、一部が分離開閉する指輪又は伸縮式に連結された指輪が実現でき、フリーサイズ構造となる。
【００１４】
請求項５のように、前記の指輪は、Ｋ１８金において、１〜５％の安価なゲルマニウムを含有させることによって、従来の高価なパラジウムやルテニウムを使用しなくても、人気の高いピンクゴールド色を実現することができるので、ピンクゴールド色の装身具を安価に提供できる。しかも、ゲルマニウムは、パラジウムやルテニウムに比べて融点が極端に低いため、材料の加工が容易で、それでいて表面が硬いので、傷つき難い装身具を実現できる。したがって、乱暴に扱っても品質低下を来す恐れがない。また、フリーサイズの指輪やネックレス、イヤリング等は、可動部や摺動部において磨耗したり擦り傷などが生じやすいが、表面硬度が高いため、可動部の多い装身具に適している。
【００１５】
請求項６のように、前記の指輪がフリーサイズであるため、その可動部が互いに或いは他の部分と擦れ合っても、傷ついて品質低下を来す恐れがない。
【考案を実施するための最良の形態】
【００１６】
次に本考案による装身具が実際上どのように具体化されるか実施形態を説明する。図１は、本考案による装身具である指輪の全容を示す斜視図である。本考案の指輪は、バネ収納円弧部１と、その両端に支持された拡縮円弧部２、３とによって、リング状に形成されている。この拡縮円弧部２、３は、バネ収納円弧部１の両端に、支軸４、５によって、回動可能に軸支されている。両側の拡縮円弧部２、３の先端は、この図では段継ぎ状の開閉部６で開閉する。
【００１７】
図２は、図１の指輪の詳細を示す図で、（１）は平面図、（２）は（１）図のＡ−Ａ断面図、（３）は（２）図の矢印ａ１方向の底面図、（４）は（２）図のａ２−ａ２方向の断面図、（５）は（２）図の矢印ａ３方向の底面図である。図１や図２（１）からも明らかなように、バネ収納円弧部１の両端は、平面図で見ると、凹状に引っ込んでいて、軸支部１ａ、１ｂになっている。左右両側の拡縮円弧部２、３の軸支部２１、３１は、凸状に突出している。そして、バネ収納円弧部１の両端の凹状部中に左右の拡縮円弧部２、３の凸状部２１、３１が嵌入した（木造建築における目違い継ぎ）状態において、横から支軸４、５を挿入することによって、左右の拡縮円弧部２、３が支軸４、５を中心に回動する。
【００１８】
バネ収納円弧部１を（１）図のＡ−Ａ断面図で見ると、（２）図のように、凹溝ｇが円周方向の両端まで形成されていて、（３）図のように幅Ｗの凹溝ｇの中に、幅ｗの板バネＳが挿入されている。この凹溝ｇの中間位置にブリッジ部７を設けて、このブリッジ部７と凹部ｇ底面ｂとの間のトンネル状孔に板バネＳを挿通してある。一方、左右両側の拡縮円弧部２、３の凸状の軸支部２１、３１から舌片８、９が凹溝ｇ中に突出していて、凹溝底面ｂと板バネＳの両端との間にバネ圧で挟持された状態となっている。凹溝ｇ中に舌片８、９を挿入し、その上に板バネＳを重ねても、板バネＳが凹溝ｇからはみ出さないように、舌片８、９の厚さ寸法が設定されている。
【００１９】
帯板状の板バネＳは、平板状ないしわずかに円弧状に曲がった状態で凹溝ｇ中に挿入されているため、板バネＳの両端によって、舌片８、９は、凹溝ｇ底面ｂに押しつけられた状態となる。したがって常に、拡縮円弧部２、３の先端の開閉部６が閉じて、指輪内径が小さくなる方向に作用する。板バネＳの材質は特に限定しないが、バネ性に富んだ材質が適しており、素材の色がバネ収納円弧部１と異なる場合は、同じ色にメッキ処理してもよい。また、板バネＳに代えて、細いピアノ線を代用することも可能である。このとき、複数本平に並べて用いると、板バネＳと同様に安定性がよい。
【００２０】
図３（１）のように、図２のブリッジ部７と凹溝ｇの底部ｂとの間の水平方向の貫通孔に板バネＳを挿通してあるのに対し、図３（２）のように、凹溝ｇの中間位置のブリッジ部７が存在しない構成とし、板バネＳやピアノ線の中間位置を凹溝ｇ中に、半田やロウなどの接合材Ｂで半田付け又はロウ付けで接合することも可能である。接合構造にすると、ブリッジ部７の無い、単純な凹溝だけで足りるので、構成が簡素で製造も容易となり、安価に実現できる。凹溝ｇ中に板バネＳやピアノ線を挿入した状態で、凹溝ｇ開口部を加締めることによっても、板バネＳやピアノ線の中間位置を凹溝ｇ中に取付け固定できる。このとき、板バネＳやピアノ線の上に押さえ片を重ねて、押さえ片を凹溝中に接合又は加締め固定してもよい。なお、板バネＳやピアノ線をレーザ溶接で直接凹溝に固定することも可能である。
このようにして支持した板バネＳやピアノ線の片方の端部だけで、前記の舌片８又は９を弾圧して、片方の拡縮円弧部２又は３を開閉することも可能である。このとき、板バネＳやピアノ線の一端を凹溝ｇ中に固定し、他端で前記舌片８又は９を弾圧する構造でもよい。
【００２１】
開閉部６は、完全に開閉して、開放時にリング状が分離・中断する構成も可能であるが、図２のように、横向きのスリット１０、１１を有する連結具１２を拡縮円弧部２、３の先端の間に介在させ、拡縮円弧部２、３の先端に形成した凹部先端に渡した横向きピン１３、１４を前記スリット１０、１１中に挿入した構造が望ましい。その結果、横向きスリット１０、１１中で横向きピン１３、１４が指輪の円周方向にスライドできるので、リング状が閉じた状態でも、スライド伸縮して開閉部６を開閉できる。本考案のようなフリーサイズの指輪は、大中小というように、３種類程度のサイズを用意しておけば、７番から２３番まで、あらゆる指サイズに対応できる。
【００２２】
フリーサイズの指輪は、このように可動部が多いため、摺動したり擦ったりする頻度が高いので、バネ収納円弧部１や拡縮円弧部２、３の材料は、硬度の高い材質が適している。そのために本考案の指輪は、Ｋ１８金において、１〜５％のゲルマニウムを含有させてある。この材質によると、従来のようにパラジウムやルテニウムを含むＫ１８金よりも硬質で、擦り傷の発生も少ない。また、パラジウムやルテニウムよりも融点が極端に低いので、材料の加工も容易である。さらに、色調もピンクゴールド色となり、人気が高く、需要の高いピンクゴールドの装身具が可能となる。しかも、ゲルマニウムの含有量を１〜５％の範囲で変える事により、例えば１％と少なくすると、赤味の強いピンク色となり、５％と増やすと、淡いピンク色となる。したがって、ゲルマニウムの含有量によって、好みの色を出すこともできる。
【００２３】
Ｋ１８（銀３：銅７）、Ｋ１８（銀２：銅８）、Ｋ１８（銀１：銅９）は、現在使われている赤金の銀と銅の比率であるが、ゲルマニウム含有量１〜５％は、これらを含めて、指輪以外のあらゆる装身具にも適用できる。ゲルマニウムは血行促進作用がある事で知られているので、本考案のように、装身具としてゲルマニウムを含有させることで、身体に優しい商品となり、健康を促進する効果も期待できる。なお、ネックレスやイヤリング等の装身具も、摺動したり擦れ合ったりする頻度が高いので、本考案のように硬度の高い材質の適用が望まれる。以上のように、ゲルマニウムはパラジウムやルテニウムより安価であるが、平成１９年２月現在の相場だと、パラジウムが1500円／ｇ、ルテニウムが3300円／ｇと高価であるのに対し、ゲルマニウムは 300円／ｇ程度と格安であるから、装身具に加工した場合にも、極めて安価な製品となる。
【産業上の利用可能性】
【００２４】
以上のように、本考案によると、Ｋ１８金において、１〜５％のゲルマニウムを含有させることによって、ピンクゴールド色を実現できるため、装身具として人気の高いピンクゴールド色を安価に、かつ赤味の強いピンク色から淡いピンク色まで好みの色を自由に実現でき、しかも材料加工が容易で、かつ表面が硬く傷つき難い装身具を実現することができる。
【図面の簡単な説明】
【００２５】
【図１】本考案による装身具である指輪の全容を示す斜視図である。
【図２】図１の指輪の各部の詳細を示す図である。
【図３】板バネの支持部を示すＢ−Ｂ断面図で、（１）は挿通支持構造、（２）は接合固定構造である。
【符号の説明】
【００２６】
１  バネ収納円弧部
１ａ・１ｂ  軸支部
２・３  拡縮円弧部
２１、３１  軸支部
４・５  支軸
６  開閉部
７  ブリッジ部
Ｓ  板バネ
ｇ  凹溝
８・９  舌片
１２  連結具
Ｂ  接合材